(57)【要約】【課題】組み立てる際の作業を煩雑化することなく部品点数の削減を図る。【解決手段】パネル７１の四周に框７２，７３，７４を備えた２つの面材ユニット７０を、連結ブラケット８０により互いに縦框７４を介して連結する連結構造であって、連結ブラケット８０は、一方の面材ユニット７０に対して縦框７４の外周側見込み面７４ｄに当接する第１の見込み当接部８１と、縦框７４の見付け面に当接する第１の見付け当接部８３と、他方の面材ユニット７０に対して縦框７４の外周側見込み面７４ｄに当接する第２の見込み当接部８２と、縦框７４の見付け面に当接する第２の見付け当接部８４とを一体に成形したものであり、第１の見込み当接部８１を介して縦框７４に組立ネジ７６を螺合することにより一方の面材ユニット７０に固定され、かつ第２の見込み当接部８２を介して縦框７４に組立ネジ７６を螺合することにより他方の面材ユニット７０に固定されている。【選択図】図５
2018109319.tif 000002
【特許請求の範囲】
【請求項１】
面材の四周に框を備えた２つの面材ユニットを、連結ブラケットにより互いに框を介して相互に連結する面材ユニットの連結構造であって、
前記連結ブラケットは、一方の面材ユニットに対して框の外周側見込み面に当接する第１の見込み当接部と、前記框の見付け面に当接する第１の見付け当接部と、他方の面材ユニットに対して框の外周側見込み面に当接する第２の見込み当接部と、前記框の見付け面に当接する第２の見付け当接部とを一体に成形したものであり、前記第１の見込み当接部を介して框にネジを螺合することにより前記一方の面材ユニットに固定され、かつ前記第２の見込み当接部を介して框にネジを螺合することにより前記他方の面材ユニットに固定されていることを特徴とする面材ユニットの連結構造。
【請求項２】
前記連結ブラケットは、前記第１の見込み当接部と前記第２の見込み当接部とが互いに異なる方向に沿って延在していることを特徴とする請求項１に記載の面材ユニットの連結構造。
【請求項３】
前記連結ブラケットは、板状を成すものであり、前記第１の見込み当接部において框が当接する当接面と、前記第２の見込み当接部において框が当接する当接面とが互いに異なる表面に設けられていることを特徴とする請求項２に記載の面材ユニットの連結構造。
【請求項４】
前記連結ブラケットは、縦框において上下の横框に対応する部位にそれぞれ固定されるものであり、上下に沿った幅が前記横框の見込み方向に沿った寸法と同一に構成されていることを特徴とする請求項１に記載の面材ユニットの連結構造。
【発明の詳細な説明】
【技術分野】
【０００１】
本発明は、面材の四周に框を備えた２つの面材ユニットを連結ブラケットにより相互に連結するようにした面材ユニットの連結構造に関するものである。
【背景技術】
【０００２】
バルコニー等のエクステリアにおいては、例えばデッキの周囲に設けた立上り部分と、支柱部材を介して立上り部分の上方部に設けられた手摺り笠木との間に面材ユニットを配設するようにしたものがある。面材ユニットは、パネル、ルーバー、縦格子、横格子等の面材の四周に、予め框を備えて構成されている。支柱部材には、それぞれの上方部及び下方部に支持ブラケットが取り付けられている。この種のバルコニーでは、それぞれの支持ブラケットを介して面材ユニットの両側縁部にネジを螺合させることにより、支柱部材の間に面材ユニットが取り付けられている（例えば、特許文献１参照）。
【先行技術文献】
【特許文献】
【０００３】
【特許文献１】実開平３−７１０９２号公報
【発明の概要】
【発明が解決しようとする課題】
【０００４】
ところで、複数の部屋に繋がるような間口の大きいバルコニーにおいては、寸法に応じて面材ユニット、支柱部材及び支持ブラケットが必要となり、部品点数が増大するのは否めない。また、入隅や出隅等のように屈曲した部分を有したバルコニーにあっては、寸法の大小に関わらず、屈曲部分を構成するのに３本の支柱部材と２枚の面材ユニットとが必要となり、部品点数がさらに増える。
【０００５】
こうした問題を解決する方法としては、複数の面材ユニットを相互に連結して予め複合化することが考えられる。すなわち、複数の面材を互いに連結して複合化すれば、支柱部材の数を減らした状態で、寸法の大きな部分や屈曲部分を有したバルコニーを構成することが可能となる。しかしながら、互いに連結した複数の面材ユニットを支柱部材の支持ブラケットに支持させるには、互いの位置を正確に規定した状態で複数の面材ユニットを連結する必要があり、複合化するための組立作業がきわめて煩雑となる。特に、複数の面材ユニットを屈曲して複合化するものにあっては、面材ユニットの相対位置がわずかでもずれていた場合、２つの支柱部材の間に配置することすら困難となるおそれがあり、上述の問題が一層顕著となる。
【０００６】
本発明は、上記実情に鑑みて、組み立てる際の作業を煩雑化することなく部品点数の削減を図ることのできる面材ユニットの連結構造を提供することを目的とする。
【課題を解決するための手段】
【０００７】
上記目的を達成するため、本発明に係る面材ユニットの連結構造は、面材の四周に框を備えた２つの面材ユニットを、連結ブラケットにより互いに框を介して相互に連結する面材ユニットの連結構造であって、前記連結ブラケットは、一方の面材ユニットに対して框の外周側見込み面に当接する第１の見込み当接部と、前記框の見付け面に当接する第１の見付け当接部と、他方の面材ユニットに対して框の外周側見込み面に当接する第２の見込み当接部と、前記框の見付け面に当接する第２の見付け当接部とを一体に成形したものであり、前記第１の見込み当接部を介して框にネジを螺合することにより前記一方の面材ユニットに固定され、かつ前記第２の見込み当接部を介して框にネジを螺合することにより前記他方の面材ユニットに固定されていることを特徴とする。
【０００８】
この発明によれば、連結ブラケットとして、第１の見込み当接部、第１の見付け当接部、第２の見込み当接部及び第２の見付け当接部を有するものを適用しているため、一方の面材ユニットを第１の見込み当接部及び第１の見付け当接部に当接させるとともに、他方の面材ユニットを第２の見込み当接部及び第２の見付け当接部に当接させれば、２つの面材にユニットの相対位置が正確に規定されることになる。従って、この連結ブラケットによって面材ユニットを複合化することにより、組立の作業を煩雑化することなく部品点数の削減を図ることが可能となる。
【０００９】
また本発明は、上述した面材ユニットの連結構造において、前記連結ブラケットは、前記第１の見込み当接部と前記第２の見込み当接部とが互いに異なる方向に沿って延在していることを特徴とする。
【００１０】
この発明によれば、複数の面材ユニットを互いに異なる方向に沿って延在する状態で相互に連結し、入隅や出隅に対応して面材ユニットを複合化することが可能となる。しかも、入隅に対応した面材ユニットを複合化する場合と出隅に対応した面材ユニットを複合化する場合とで連結ブラケットを共用化することも可能である。
【００１１】
また本発明は、上述した面材ユニットの連結構造において、前記連結ブラケットは、板状を成すものであり、前記第１の見込み当接部において框が当接する当接面と、前記第２の見込み当接部において框が当接する当接面とが互いに異なる表面に設けられていることを特徴とする。
【００１２】
この発明によれば、２つの面材ユニットを近接させた状態で複合化し、連結部分を突状に構成することが可能である。
【００１３】
また本発明は、上述した面材ユニットの連結構造において、前記連結ブラケットは、縦框において上下の横框に対応する部位にそれぞれ固定されるものであり、上下に沿った幅が前記横框の見付け方向に沿った寸法と同一に構成されていることを特徴とする。
【００１４】
この発明によれば、連結ブラケットの上下に沿った幅が横框の見付け方向に沿った寸法と同一となるように構成されているため、面材ユニットに取り付けた状態において連結ブラケットと横框とが一連のラインを描くようになり、意匠性の向上を図ることが可能である。
【発明の効果】
【００１５】
本発明によれば、連結ブラケットとして、第１の見込み当接部、第１の見付け当接部、第２の見込み当接部及び第２の見付け当接部を有するものを適用しているため、一方の面材ユニットを第１の見込み当接部及び第１の見付け当接部に当接させるとともに、他方の面材ユニットを第２の見込み当接部及び第２の見付け当接部に当接させれば、２つの面材にユニットの相対位置が正確に規定されることになる。従って、この連結ブラケットによって面材ユニットを複合化することにより、組立の作業を煩雑化することなく部品点数の削減を図ることが可能となる。
【図面の簡単な説明】
【００１６】
【図１】図１は、本発明の実施の形態１である連結構造を適用して複合化した面材ユニットを備えるバルコニーの外観斜視図である。
【図２Ａ】図２Ａは、図１に示したバルコニーの要部横断面図である。
【図２Ｂ】図２Ｂは、図２Ａに示したバルコニーにおいて複合化した面材ユニットを取り付ける以前の要部横断面図である。
【図３Ａ】図３Ａは、図１に示したバルコニーにおいて面材ユニットを取り付ける以前の要部縦断面図である。
【図３Ｂ】図３Ｂは、図１に示したバルコニーの要部縦断面図である。
【図４】図４は、図１に示したバルコニーに適用する連結ブラケットの斜視図である。
【図５】図５は、図４に示した連結ブラケットと２つの面材ユニットとを示すもので、（ａ）は連結ブラケットと２つの面材ユニットとを連結する以前の状態を示す断面図、（ｂ）は図２Ａに示したバルコニーに適用するように連結ブラケットと２つの面材ユニットとを連結した状態の断面図である。
【図６】図６は、図４に示した連結ブラケットと２つの面材ユニットとを示すもので、（ａ）は連結する以前の状態を示す要部斜視図、（ｂ）は連結した状態の要部斜視図である。
【図７Ａ】図７Ａは、本発明の実施の形態２である連結構造を適用して複合化した面材ユニットを備えるバルコニーの要部横断面図である。
【図７Ｂ】図７Ｂは、図７Ａに示したバルコニーにおいて複合化した面材ユニットを取り付ける以前の要部横断面図である。
【図８】図８は、図４に示した連結ブラケットと２つの面材ユニットとを示すもので、（ａ）は連結ブラケットと２つの面材ユニットとを連結する以前の状態を示す断面図、（ｂ）は図７Ａに示したバルコニーに適用するように連結ブラケットと２つの面材ユニットとを連結した状態の断面図である。
【発明を実施するための形態】
【００１７】
以下、添付図面を参照しながら本発明に係る面材ユニットの連結構造の好適な実施の形態について詳細に説明する。
【００１８】
（実施の形態１）
図１〜図３Ｂは、本発明の実施の形態１である連結構造によって複合化した面材ユニットを備えるバルコニーを示したものである。ここで例示するバルコニーは、建築物の外壁Ｗから突出するように設けられたデッキ１０の周囲に手摺り２０を設けることによって構成したものである。デッキ１０は、３つの辺で囲まれる矩形状の外形を有したもので、３つの辺に設けた立上り部分１１に支柱部材３０及び笠木４０を備えている。
【００１９】
支柱部材３０は、アルミニウム合金等の金属によって成形した押し出し形材であり、角筒状に構成してある。これらの支柱部材３０は、互いの間にほぼ等しい間隔を確保した状態で、立上り部分１１の上面から鉛直方向に沿って上方に突設している。本実施の形態１では、短手となる側面３０ａが室外に対向し、かつこの側面３０ａからデッキ１０における立上り部分１１の室外に臨む外表面１１ａまでの距離が互いに同一となる位置にそれぞれ支柱部材３０が配設してある。図からも明らかなように、デッキ１０の出隅となる部分においては、２辺の交点となる部位を避け、その両側となる部位に支柱部材３０を配設するようにしている。
【００２０】
笠木４０は、アルミニウム合金等の金属によって成形した押し出し形材である。この笠木４０は、立上り部分１１の上端部を覆う薄板のカバー部材として構成したもので、立上り部分１１の全長にわたって設けてある。図には明示していないが、笠木４０において支柱部材３０に対応する部位には、それぞれ支柱部材３０を貫通させるための支柱貫通孔が設けてある。
【００２１】
上述した支柱部材３０には、手摺り笠木５０及び支持ブラケット６０が設けてある。手摺り笠木５０は、アルミニウム合金等の金属によって成形した押し出し形材であり、複数の支柱部材３０の上端部間に架け渡すように設けてある。支持ブラケット６０は、支柱部材３０から室外に向けて突出するように設けたもので、個々の支柱部材３０の長辺となる側面３０ｂにおいて手摺り笠木５０よりも下方となる部位及び笠木４０よりも上方となる部位の２カ所に配設してある。建築物の外壁Ｗに近接した支柱部材３０に対しては、一方の側面３０ｂにのみ支持ブラケット６０を配設しているが、その他の支柱部材３０に対しては、２つの側面３０ｂにそれぞれ支持ブラケット６０を配設するようにしている。
【００２２】
本実施の形態１では、取付基板部６１、当接板部６２及び載置板部６３をステンレス等の金属板によって一体に成形した支持ブラケット６０を適用している。取付基板部６１は、基端部に上下２つのネジ装着孔（図示せず）を有した平板状を成すもので、個々のネジ装着孔（図示せず）を介して支柱部材３０にブラケットネジ６４を螺合することにより支柱部材３０に取り付けてある。当接板部６２は、取付基板部６１の先端縁からほぼ直角となるように屈曲して延在する平板状部分である。当接板部６２の延在方向は、取付基板部６１が当接する支柱部材３０の側面３０ｂから離隔する方向である。載置板部６３は、当接板部６２の下縁から室外に向けてほぼ水平となるように延在した平板状部分である。この載置板部６３には、取付ネジ挿通孔６３ａ及び係合爪片６５が設けてある。取付ネジ挿通孔６３ａは、上下方向に沿って貫通した円形の開口であり、後述する取付ネジ６６の軸部６６ａよりも太径、かつ頭部６６ｂよりも細径に形成してある。係合爪片６５は、載置板部６３から上方に突出した平板状部分であり、当接板部６２に対してほぼ平行となるように延在している。
【００２３】
また、このバルコニーには、笠木４０と手摺り笠木５０との間に、手摺り笠木５０の延在方向に沿って複数の面材ユニット７０が並設してある。それぞれの面材ユニット７０は、矩形状を成すパネル（面材）７１の四周に上框（横框）７２、下框（横框）７３及び左右の縦框７４を装着することによって構成したものである。パネル７１は、例えばパンチングメタルや透光性を有する樹脂板のように板厚の薄い平板状を成している。上框７２、下框７３及び縦框７４は、アルミニウム合金等の金属によって成形した押し出し形材であり、縦框７４の上端部間に上框７２が配設され、かつ縦框７４の下端部間に下框７３が配設されている。
【００２４】
縦框７４は、矩形の中空状を成す縦框基部７４ａと、縦框基部７４ａの室外側となる部分に設けた面材収容ヒレ部７４ｂとを一体に成形したものである。本実施の形態１では、支柱部材３０の上方に設けた支持ブラケット６０の上端から支柱部材３０の下方に設けた支持ブラケット６０の下端までの距離に対応する長手寸法を有した縦框７４を適用している。面材収容ヒレ部７４ｂは、縦框基部７４ａの外周側に位置する縁部から室外側に向けて延在した後、内周側に向けて屈曲した薄板状部分であり、縦框基部７４ａとの間に内周側に開口した面材収容溝７４ｃを構成している。
【００２５】
ここで、見込み方向とは、図３Ａ及び図３Ｂ中の矢印Ａで示すように、面材ユニット７０の奥行きに沿った方向である。見込み方向に沿った面については、見込み面と称する場合がある。また、見付け方向とは、上框７２や下框７３のように水平に沿って配置される部材の場合、見込み方向に直交した上下に沿う方向であり、縦框７４のように上下に沿って配置される部材の場合、見込み方向に直交した水平に沿う方向である。見付け方向に沿った面については、見付け面と称する場合がある。
【００２６】
一方、面材ユニット７０の上框７２及び下框７３は、見込み方向に沿った寸法が縦框７４とほぼ同一である。この上框７２及び下框７３の見付け方向に沿った寸法は、支持ブラケット６０において載置板部６３の上面から当接板部６２の上端までの距離とほぼ等しく設定してある。また、上框７２の内周側見込み面７２ａから下框７３の外周側見込み面７３ａまでの距離は、支柱部材３０の上方に設けた支持ブラケット６０の載置板部６３と支柱部材３０の下方に設けた支持ブラケット６０の載置板部６３との相互間距離とほぼ等しく設定してある。
【００２７】
上框７２には、内周側見込み面７２ａに面材収容溝７２ｂ及び連結用凹部７２ｃが設けてある。これに対して下框７３には、内周側見込み面７３ｂに面材収容溝７３ｃが設けてあり、外周側見込み面７３ａに係合用凹部７３ｄが設けてある。上框７２の面材収容溝７２ｂ及び下框７３の面材収容溝７３ｃは、それぞれの内周側見込み面７２ａ，７３ｂにおいて室外側の縁部に開口する狭幅の凹所であり、縦框７４の面材収容溝７４ｃと同じ見込み位置に形成してある。
【００２８】
上框７２の連結用凹部７２ｃは、内周側見込み面７２ａにおいて室内側の縁部に開口する凹所である。連結用凹部７２ｃの開口両縁部には、連結用凹部７２ｃの開口を狭めるように、互いに対向する部位から支持ヒレ７２ｄが突設してある。この連結用凹部７２ｃは、上框７２の室内側見付け面７２ｅを支持ブラケット６０の当接板部６２に当接させた場合にその開口が、載置板部６３に設けた取付ネジ挿通孔６３ａ及び係合爪片６５と対向するように構成してある。また連結用凹部７２ｃの内部には、直方体状を成す板ナット７５が配設してある。板ナット７５は、ネジ孔７５ａが上下に延在する状態で連結用凹部７２ｃの内部に収容したもので、上框７２に対して長手方向にはスライド可能、かつ上下方向には移動が規制されている。
【００２９】
下框７３の係合用凹部７３ｄは、外周側見込み面７３ａにおいて室内側の縁部に開口する凹所である。この係合用凹部７３ｄは、下框７３の室内側見付け面７３ｅを支持ブラケット６０の当接板部６２に当接させた場合にその開口が、載置板部６３に設けた係合爪片６５に対向するように構成してある。
【００３０】
図からも明らかなように、上框７２の連結用凹部７２ｃ及び下框７３の係合用凹部７３ｄには、それぞれの内部において室内側見付け面７２ｅ，７３ｅから互いに等距離となる位置にビスホール７２ｆ，７３ｆが設けてある。ビスホール７２ｆ，７３ｆは、上框７２及び下框７３の長手に沿って延在する筒状部分であり、見込み方向において室内側に偏った位置に形成してある。
【００３１】
上述した面材ユニット７０は、上框７２の面材収容溝７２ｂ、下框７３の面材収容溝７３ｃ及び縦框７４の面材収容溝７４ｃにそれぞれパネル７１の対応する縁部を収容させ、この状態から縦框７４を介して上框７２のビスホール７２ｆ及び下框７３のビスホール７３ｆにそれぞれ組立ネジ７６を螺合することによって構成されたものである。パネル７１と、上框７２の面材収容溝７２ｂ、下框７３の面材収容溝７３ｃ及び左右の縦框７４の面材収容溝７４ｃにおいて互いに当接する部分には、予め接着材を塗布して接着するようにしている。
【００３２】
この面材ユニット７０は、隣設する支柱部材３０の間においてそれぞれの支持ブラケット６０の載置板部６３に上框７２及び下框７３を載置させれば、個々の係合爪片６５が連結用凹部７２ｃ及び係合用凹部７３ｄに配置され、支持ブラケット６０に対して仮止めされた状態となる。この仮止め状態においては、支持ブラケット６０に対して面材ユニット７０を水平方向に沿って移動させ、位置調整を行うことが可能である。
【００３３】
面材ユニット７０を設置すべき位置に配置した後においては、上框７２の載置板部６３に設けた取付ネジ挿通孔６３ａを介して板ナット７５に取付ネジ６６を螺合すれば、支持ブラケット６０に対する面材ユニット７０の移動を規制することができる。その後、当接板部６２を介して上框７２及び下框７３にそれぞれ支持ネジ６７を螺合すれば、面材ユニット７０が支持ブラケット６０を介して支柱部材３０に保持された状態に維持される。本実施の形態１では、隣設する面材ユニット７０の縦框７４の間に通風や施工誤差吸収のための隙間を確保した状態で順次面材ユニット７０を取り付けるようにしている。
【００３４】
ところで、上述したようにデッキ１０の出隅となる部分には、２辺の交点となる部位に支柱部材３０を設けていないため、支柱部材３０の数については削減できるものの、そのまま上述の面材ユニット７０を出隅となる部分に配置することは困難である。そこで、本実施の形態１では、予め２つの面材ユニット７０を相互に連結して予め複合化し、デッキ１０の出隅となる部分に面材ユニット７０を取り付けるようにしている。
【００３５】
図４は、２つの面材ユニット７０を連結するための連結ブラケット８０を示したものである。本実施の形態１で適用する連結ブラケット８０は、２つの面材ユニット７０の縦框７４を相互に連結するためのもので、図４及び図５に示すように、２つの見込み当接部８１，８２を有している。２つの見込み当接部８１，８２は、それぞれ上框７２及び下框７３の見付け方向に沿った寸法ｈ（図６参照）と同一の幅ｗｄを有した平板状を成すもので、互いに９０°の角度をもって延在するように構成してある。個々の見込み当接部８１，８２には、延在端部に見付け当接部８３，８４が設けてある。見付け当接部８３，８４は、見込み当接部８１，８２に対して９０°の角度を有するように設けたもので、見込み当接部８１，８２と同一の幅ｗｄを有している。
【００３６】
図からも明らかなように、一方の見込み当接部８１は、他方の見込み当接部８２よりも長手寸法が大きくなるように設定してある。２つの見込み当接部８１，８２の寸法の差は、上述した面材ユニット７０の縦框７４の相互間に確保した通風や施工誤差吸収のための隙間に相当する値である。寸法の大きな見込み当接部８１（以下、区別する場合に「第１の見込み当接部８１」という）に設けた見付け当接部８３（以下、区別する場合に「第１の見付け当接部８３」という）は、第１の見込み当接部８１から寸法の小さい見込み当接部８２（以下、区別する場合に「第２の見込み当接部８２」という）と同じ方向に延在している。これに対して第２の見込み当接部８２に設けた見付け当接部８４（以下、区別する場合に「第２の見付け当接部８４」という）は、第２の見込み当接部８２から第１の見込み当接部８１とは反対の方向に延在するように構成してある。それぞれの見込み当接部８１，８２には、ネジ挿通孔８１ａ，８２ａが形成してある。ネジ挿通孔８１ａ，８２ａは、面材ユニット７０において縦框７４の外周側見込み面７４ｄを見込み当接部８１，８２に当接させた場合に、組立ネジ７６に対応する部位に形成したものである。本実施の形態１では、室外側となる見付け面７４ｅを当接させた場合に組立ネジ７６に対応するもの及び、室内側となる見付け面７４ｆを当接させた場合の組立ネジ７６に対応するものの２つのネジ挿通孔８１ａ，８２ａがそれぞれの見込み当接部８１，８２に形成してある。
【００３７】
この連結ブラケット８０を適用して２つの面材ユニット７０を複合化する場合には、図５及び図６に示すように、まず、縦框７４を介して上框７２及び下框７３に螺合してあった組立ネジ７６を予め取り外しておく。上述したように、パネル７１と縦框７４、上框７２及び下框７３との間は、接着材によって接着してあるため、組立ネジ７６を取り外した状態にあっても、面材ユニット７０が分解する事態を招来することはない。
【００３８】
この状態から、一方の面材ユニット７０の縦框７４に対して上端部及び下端部に連結ブラケット８０を取り付ける。具体的には、連結ブラケット８０の第２の見付け当接部８４が上框７２と同じ高さ位置において縦框７４の室内側となる見付け面７４ｆに当接する状態で第２の見込み当接部８２を縦框７４の外周側見込み面７４ｄに当接させる。同様に、連結ブラケット８０の第２の見付け当接部８４が下框７３と同じ高さ位置において縦框７４の室内側となる見付け面７４ｆに当接する状態で第２の見込み当接部８２を縦框７４の外周側見込み面７４ｄに当接させる。上記のようにして連結ブラケット８０を面材ユニット７０に配置すれば、それぞれの第２の見込み当接部８２に形成した一方のネジ挿通孔８２ａが縦框７４のネジ孔７４ｇに合致することになる。従って、それぞれのネジ挿通孔８２ａを介して縦框７４のネジ孔７４ｇに、取り外してあった組立ネジ７６を螺合させれば、一方の面材ユニット７０の縦框７４に対してその上端部及び下端部にそれぞれ連結ブラケット８０が取り付けられ、かつ縦框７４が再び組立ネジ７６によって上框７２及び下框７３に連結された状態となる。
【００３９】
次いで、この状態から、一方の面材ユニット７０の上端部に取り付けた連結ブラケット８０を他方の面材ユニット７０の縦框７４に対して上端部に取り付け、かつ一方の面材ユニット７０の下端部に取り付けた連結ブラケット８０を他方の面材ユニット７０の縦框７４に対して下端部に取り付ける。具体的には、上端部に取り付けた連結ブラケット８０の第１の見付け当接部８３が上框７２と同じ高さ位置において縦框７４の室外側となる見付け面７４ｅに当接する状態で第１の見込み当接部８１を縦框７４の外周側見込み面７４ｄに当接させる。同様に、下端部に取り付けた連結ブラケット８０の第１の見付け当接部８３が下框７３と同じ高さ位置において縦框７４の室外側となる見付け面７４ｅに当接する状態で第１の見込み当接部８１を縦框７４の外周側見込み面７４ｄに当接させる。上記のようにして連結ブラケット８０を面材ユニット７０に配置すれば、それぞれの第１の見込み当接部８１に形成した一方のネジ挿通孔８１ａが縦框７４のネジ孔７４ｇに合致することになる。従って、それぞれのネジ挿通孔８１ａを介して縦框７４のネジ孔７４ｇに、取り外してあった組立ネジ７６を螺合させれば、一方の面材ユニット７０の縦框７４に対してその上端部及び下端部にそれぞれ連結ブラケット８０が取り付けられ、かつ縦框７４が再び組立ネジ７６によって上框７２及び下框７３に連結された状態となる。
【００４０】
上記のようにして複合化した２つの面材ユニット７０は、連結ブラケット８０として、第１の見込み当接部８１、第１の見付け当接部８３、第２の見込み当接部８２及び第２の見付け当接部８４を有するものを適用しているため、それぞれの面材ユニット７０の相対位置が正確に規定されることになる。すなわち、第１の見込み当接部８１及び第１の見付け当接部８３に当接することにより、連結ブラケット８０に対して一方の面材ユニット７０の見込み方向の位置及び見付け方向の位置が規定された状態となる。第２の見込み当接部８２及び第２の見付け当接部８４に当接することにより、連結ブラケット８０に対して他方の面材ユニット７０の見込み方向の位置及び見付け方向の位置が規定された状態となる。従って、煩雑な位置決め作業を行うことなく、２つの面材ユニット７０の相対的な見込み方向の位置及び見付け方向の位置が連結ブラケット８０を介して正確に規定されることになる。具体的には、２つの面材ユニット７０が縦框７４の相互間に、その他の面材ユニット７０の相互間に確保した隙間と同じ隙間を確保した状態で相互に直角となる状態で連結されることになる。これにより、デッキ１０の出隅において２辺の交点となる部位の支柱部材３０を省略した場合にも、その両側に設けた支柱部材３０の支持ブラケット６０に対して複合化した２つの面材ユニット７０を容易に取り付けることが可能となる。
【００４１】
しかも、それぞれの面材ユニット７０の縦框７４に対して連結ブラケット８０が２つの隣接する面７４ｄ，７４ｅに当接しているため、連結ブラケット８０を面材ユニット７０に螺合する組立ネジ７６を複数本設けなくても、連結ブラケット８０と面材ユニット７０とが相対移動することはない。さらに、上述の構成は、取り付け強度の点でも有利となるため、複合化した面材ユニット７０に外力が加えられた場合にも、面材ユニット７０相互の位置ずれや面材ユニット７０に対する連結ブラケット８０の位置ずれが招来されるおそれがない。
【００４２】
（実施の形態２）
図７Ａ〜図８は、本発明の実施の形態２である連結構造によって複合化した面材ユニットを備えるバルコニーを示したものである。ここで例示するバルコニーは、実施の形態１と同様、建築物の外壁Ｗから突出するように設けられたデッキ１０の周囲に手摺り２０（図１参照）を設けることによって構成したものであり、入隅を有する点で実施の形態１と相違する。以下、実施の形態１と相違する部分について主に説明し、実施の形態１と同様の構成については同一の符号を付して詳細説明を省略する。
【００４３】
デッキ１０の立上り部分１１には、入隅となる部分を除き、ほぼ等間隔となるように支柱部材３０が設けてある。入隅おいては、２辺の交点となる部位を避けてその両側となる部位に支柱部材３０を配設するようにしている。このデッキ１０に対しても、入隅の周囲となる部分を除き、単独の面材ユニット７０を取り付けて手摺り２０を構成している。
【００４４】
一方、入隅となる部分においては、実施の形態１で適用した連結ブラケット８０を適用して２つの面材ユニット７０を複合化するようにしている。
【００４５】
すなわち、入隅に配設する面材ユニット７０を複合化する場合には、図８に示すように、まず、縦框７４を介して上框７２及び下框７３に螺合してあった組立ネジ７６を予め取り外しておく。上述したように、パネル７１と縦框７４、上框７２及び下框７３との間は、接着材によって接着してあるため、組立ネジ７６を取り外した状態にあっても、面材ユニット７０が分解する事態を招来することはない。
【００４６】
この状態から、一方の面材ユニット７０の縦框７４に対して上端部及び下端部に連結ブラケット８０を取り付ける。具体的には、連結ブラケット８０の第２の見付け当接部８４が上框７２と同じ高さ位置において縦框７４の室外側となる見付け面７４ｅに当接する状態で第２の見込み当接部８２を縦框７４の外周側見込み面７４ｄに当接させる。同様に、連結ブラケット８０の第２の見付け当接部８４が下框７３と同じ高さ位置において縦框７４の室外側となる見付け面７４ｅに当接する状態で第２の見込み当接部８２を縦框７４の外周側見込み面７４ｄに当接させる。上記のようにして連結ブラケット８０を面材ユニット７０に配置すれば、それぞれの第２の見込み当接部８２に形成した一方のネジ挿通孔８２ａが縦框７４のネジ孔に合致することになる。従って、それぞれのネジ挿通孔８２ａを介して縦框７４のネジ孔に、取り外してあった組立ネジ７６を螺合させれば、一方の面材ユニット７０の縦框７４に対してその上端部及び下端部にそれぞれ連結ブラケット８０が取り付けられ、かつ縦框７４が再び組立ネジ７６によって上框７２及び下框７３に連結された状態となる。
【００４７】
次いで、この状態から、一方の面材ユニット７０の上端部に取り付けた連結ブラケット８０を他方の面材ユニット７０の縦框７４に対して上端部に取り付け、かつ一方の面材ユニット７０の下端部に取り付けた連結ブラケット８０を他方の面材ユニット７０の縦框７４に対して下端部に取り付ける。具体的には、上端部に取り付けた連結ブラケット８０の第１の見付け当接部８３が上框７２と同じ高さ位置において縦框７４の室内側となる見付け面７４ｆに当接する状態で第１の見込み当接部８１を縦框７４の外周側見込み面７４ｄに当接させる。同様に、下端部に取り付けた連結ブラケット８０の第１の見付け当接部８３が下框７３と同じ高さ位置において縦框７４の室内側となる見付け面７４ｆに当接する状態で第１の見込み当接部８１を縦框７４の外周側見込み面７４ｄに当接させる。上記のようにして連結ブラケット８０を面材ユニット７０に配置すれば、それぞれの第１の見込み当接部８１に形成した一方のネジ挿通孔８１ａが縦框７４のネジ孔に合致することになる。従って、それぞれのネジ挿通孔８１ａを介して縦框７４のネジ孔に、取り外してあった組立ネジ７６を螺合させれば、一方の面材ユニット７０の縦框７４に対してその上端部及び下端部にそれぞれ連結ブラケット８０が取り付けられ、かつ縦框７４が再び組立ネジ７６によって上框７２及び下框７３に連結された状態となる。
【００４８】
上記のようにして複合化した２つの面材ユニット７０は、連結ブラケット８０として、第１の見込み当接部８１、第１の見付け当接部８３、第２の見込み当接部８２及び第２の見付け当接部８４を有するものを適用しているため、それぞれの面材ユニット７０の相対位置が正確に規定されることになる。すなわち、第１の見込み当接部８１及び第１の見付け当接部８３に当接することにより、連結ブラケット８０に対して一方の面材ユニット７０の見込み方向の位置及び見付け方向の位置が規定された状態となる。第２の見込み当接部８２及び第２の見付け当接部８４に当接することにより、連結ブラケット８０に対して他方の面材ユニット７０の見込み方向の位置及び見付け方向の位置が規定された状態となる。従って、煩雑な位置決め作業を行うことなく、２つの面材ユニット７０の相対的な見込み方向の位置及び見付け方向の位置が連結ブラケット８０を介して正確に規定されることになる。具体的には、２つの面材ユニット７０が縦框７４の相互間に、その他の面材ユニット７０の相互間に確保した隙間と同じ隙間を確保した状態で相互に直角となる状態で連結されることになる。これにより、デッキ１０の入隅において２辺の交点となる部位の支柱部材３０を省略した場合にも、その両側に設けた支柱部材３０の支持ブラケット６０に対して複合化した２つの面材ユニット７０を容易に取り付けることが可能となる。
【００４９】
しかも、それぞれの面材ユニット７０の縦框７４に対して連結ブラケット８０が２つの隣接する面に当接しているため、連結ブラケット８０を面材ユニット７０に螺合する組立ネジ７６を複数本設けなくても、連結ブラケット８０と面材ユニット７０とが相対移動することはない。さらに、取り付け強度の点で有利となるため、複合化した面材ユニット７０に外力が加えられた場合にも、面材ユニット７０相互の位置ずれや面材ユニット７０に対する連結ブラケット８０の位置ずれが招来されるおそれがない。
【００５０】
なお、上述した実施の形態１及び実施の形態２では、バルコニーの手摺りとして適用される面材ユニットの連結構造を例示しているが、通路に設けられる手摺りやフェンスに用いられる面材ユニット等、その他の用途にも適用することが可能である。この場合、面材としてはパンチングメタルや樹脂板に限らず、ルーバーや縦格子、横格子によって構成した面材を適用しても構わない。面材ユニットの連結方向についても左右方向に限らず、上下方向に連結するものであっても構わない。また、実施の形態１の出隅用と実施の形態２の入隅用とで連結ブラケット８０を兼用するようにしているため、取り扱い部品点数を削減することが可能となる。しかしながら、出隅と入隅とでそれぞれ専用の連結ブラケットを用いるようにしても良い。この場合、見込み当接部８１，８２には、ネジ挿通孔８１ａ，８２ａを２つずつ設ける必要はない。さらに、縦框７４と上框７２及び下框７３とを連結していた組立ネジ７６を利用して連結ブラケット８０を面材ユニット７０に取り付けるようにしているため、部品点数が増大するのを防止できるが、必ずしも組立ネジ７６を適用して連結ブラケット８０を面材ユニット７０に取り付ける必要はない。
【００５１】
また、上述した実施の形態１及び実施の形態２では、連結ブラケット８０として第１の見付け当接部８３が第１の見込み当接部８１から第２の見込み当接部８２と同じ方向に延在したものを例示しているが、第１の見付け当接部８３を第１の見込み当接部８１から第２の見込み当接部８２とは反対側に向けて延在するように構成しても良い。さらに、第１の見込み当接部８１と第２の見込み当接部８２とが９０°の角度をもって延在した連結ブラケット８０を例示しているが、第１の見込み当接部８１と第２の見込み当接部８２との間の角度は必ずしも９０°である必要はなく、適用場所に応じて適宜変更すれば良い。なお、第１の見込み当接部８１と第２の見込み当接部８２とが直接連結されている必要もなく、例えば、平板状を成す基板部の両端からそれぞれ第１の見込み当接部８１と第２の見込み当接部８２とが延在するようにしても良い。この場合、第１の見込み当接部と第２の見込み当接部とが基板部の両端から同じ方向に向けて互いに平行に延在するように構成すれば、同一平面上に２つの面材ユニットを連結することも可能となる。
【００５２】
さらに、上述した実施の形態１及び実施の形態２では、見付け当接部８３，８４を見込み当接部８１，８２と同じ幅を有するように構成しているが、必ずしも見付け当接部８３，８４と見込み当接部８１，８２とが同じ幅である必要ない。また、縦框７４において上框７２との連結部及び下框７３との連結部に対応した部分にのみ連結ブラケット８０を配設するようにしているが、縦框７４の全長にわたる長さを有した連結ブラケットを適用しても良い。なお、縦框７４において上框７２との連結部及び下框７３との連結部に対応した部分にのみ連結ブラケット８０を配設する場合に上述した実施の形態では、連結ブラケット８０の上下に沿った幅ｗｄを上框７２及び下框７３の見付け方向に沿った寸法ｈと同一となるように構成しているため、取付状態において連結ブラケット８０と上框７２及び下框７３とが一連のラインを描くようになり、意匠性の向上を図ることが可能である。しかしながら、必ずしも連結ブラケットの幅を上框及び下框に合致させる必要はない。
【符号の説明】
【００５３】
７０  面材ユニット、７１  パネル、７２  上框、７３  下框、７４  縦框、７４ｄ  外周側見込み面、７４ｅ  室外側となる見付け面、７４ｆ  室内側となる見付け面、７６  組立ネジ、８０  連結ブラケット、８１  第１の見込み当接部、８１ａ  ネジ挿通孔、８２  第２の見込み当接部、８２ａ  ネジ挿通孔、８３  第１の見付け当接部、８４  第２の見付け当接部
【図１】
2018109319.tif 000003
【図２Ａ】
2018109319.tif 000004
【図２Ｂ】
2018109319.tif 000005
【図３Ａ】
2018109319.tif 000006
【図３Ｂ】
2018109319.tif 000007
【図４】
2018109319.tif 000008
【図５】
2018109319.tif 000009
【図６】
2018109319.tif 000010
【図７Ａ】
2018109319.tif 000011
【図７Ｂ】
2018109319.tif 000012
【図８】
2018109319.tif 000013